(57)【要約】      （修正有）【課題】デザイン性及び操作性の双方を十分に確保するとともに、容易かつ低コストに実施可能な表示プレートを提供する。【解決手段】フレーム部２と、このフレーム部２の内側に設けた二つの異なる表示面３ａ，３ｂを有する表示部３と、フレーム部２によりスライド移動可能に支持され、一方Ｘａ側にスライドさせることにより異なる表示面３ａ，３ｂの一方３ａを遮蔽し、かつ他方Ｘｂ側にスライドさせることにより異なる表示面３ａ，３ｂの他方３ｂを遮蔽する遮蔽カバー部４とを備える表示プレート１を構成して、遮蔽カバー部４の表面４ｆに、操作者の指を当接した際に当該指との滑りを防止する突起部５を設ける。【選択図】図１
0003211457.tif 000002
【実用新案登録請求の範囲】
【請求項１】
フレーム部と、このフレーム部の内側に設けた二つの異なる表示面を有する表示部と、前記フレーム部によりスライド移動可能に支持され、一方側にスライドさせることにより前記異なる表示面の一方を遮蔽し、かつ他方側にスライドさせることにより前記異なる表示面の他方を遮蔽する遮蔽カバー部とを備える表示プレートにおいて、前記遮蔽カバー部の表面に、操作者の指を当接した際に当該指との滑りを防止する突起部を設けたことを特徴とする表示プレート。
【請求項２】
前記突起部は、径が３〔ｍｍ〕以下となる半球形状に形成するとともに、前記遮蔽カバー部の表面における中央位置又はその近傍の位置に設けることを特徴とする請求項１記載の表示プレート。
【考案の詳細な説明】
【技術分野】
【０００１】
本考案は、部屋のドア等に取付けることにより「空室」又は「使用中」などを切換表示する際に用いて好適な表示プレートに関する。
【背景技術】
【０００２】
従来、部屋のドア等に取付ける表示プレートであって、フレーム部の内側に表示部を備えることにより、この表示部に異なる二つの表示、例えば、「空室」と「使用中」を切換表示できるようにした表示プレートは知られている（特許文献１参照）。
【先行技術文献】
【特許文献】
【０００３】
【特許文献１】実用新案登録第３１９１５８０号公報
【考案の概要】
【考案が解決しようとする課題】
【０００４】
しかし、この種の表示プレートであって、特に、手動操作により切換を行う表示プレートの場合、簡易に構成できる反面、次のような問題点があった。
【０００５】
即ち、操作者は、遮蔽カバー部を指により操作してスライド移動させる必要があるため、デザインやコストを優先させることにより全体をシンプルに形成した場合、操作性が失われるとともに、他方、操作性を高めるため、取手等を付設した場合、シンプル感が損なわれてしまうなど、相反する問題が存在し、シンプル感（デザイン性，低コスト性）と操作性の双方を十分に満足させるには更なる改善の余地があった。
【０００６】
本考案は、このような背景技術に存在する課題を解決した表示プレートの提供を目的とするものである。
【課題を解決するための手段】
【０００７】
本考案は、上述した課題を解決するため、フレーム部２と、このフレーム部２の内側に設けた二つの異なる表示面３ａ，３ｂを有する表示部３と、フレーム部２によりスライド移動可能に支持され、一方Ｘａ側にスライドさせることにより異なる表示面３ａ，３ｂの一方（３ａ）を遮蔽し、かつ他方Ｘｂ側にスライドさせることにより異なる表示面３ａ，３ｂの他方（３ｂ）を遮蔽する遮蔽カバー部４とを備える表示プレート１を構成するに際して、遮蔽カバー部４の表面４ｆに、操作者の指を当接した際に当該指との滑りを防止する突起部５を設けたことを特徴とする。
【０００８】
この場合、考案の好適な態様により、突起部５を設けるに際しては、径Ｌｄが３〔ｍｍ〕以下となる半球形状に形成するとともに、遮蔽カバー部４の表面４ｆにおける中央位置Ｐｃ又はその近傍の位置に設けることが望ましい。
【考案の効果】
【０００９】
このような構成を有する本考案に係る表示プレート１によれば、次のような顕著な効果を奏する。
【００１０】
（１）  遮蔽カバー部４の表面４ｆに、操作者の指を当接した際に当該指との滑りを防止する突起部５を設けたため、表示プレート１における十分なシンプル感、即ち、デザイン性を確保しつつ、操作者が指で操作する際の滑りを防止し、十分な操作性を確保することができる。
【００１１】
（２）  遮蔽カバー部４の表面４ｆに設ける突起部５は、プラスチック素材を用いた場合には容易に一体成形できるため、操作性を確保する別途の取手等の付設が不要となり、容易かつ低コストに実施することができる。
【００１２】
（３）  好適な態様により、突起部５を設けるに際し、
径Ｌｄが３〔ｍｍ〕以下となる半球形状に形成するとともに、遮蔽カバー部４の表面４ｆにおける中央位置Ｐｃ又はその近傍の位置に設ければ、目立つことなく、指に対する良好な引掛かり感を得る観点から、本考案における最も望ましい形態として実施することができる。
【図面の簡単な説明】
【００１３】
【図１】本考案の好適実施形態に係る表示プレートの断面底面図、
【図２】同表示プレートのＡ−Ａ線断面図、
【図３】同表示プレートにおける遮蔽カバー部のＡ−Ａ線断面図、
【図４】同表示プレートの外観斜視図、
【図５】同表示プレートの使用状態説明図、
【図６】同表示プレートの作用説明図、
【考案を実施するための形態】
【００１４】
次に、本考案に係る好適実施形態を挙げ、図面に基づき詳細に説明する。
【００１５】
まず、本実施形態に係る表示プレート１の構成について、図１〜図４（図６）を参照して具体的に説明する。
【００１６】
表示プレート１は、基本構造として、フレーム部２，表示部３及び遮蔽カバー部４を備える。
【００１７】
フレーム部２は、一定の厚さを有するプラスチック素材を用いたプレート材により一体形成するとともに、横長の矩形形状に形成し、上下のフレームメンバ２ｕ，２ｄ及び左右のフレームメンバ２ａ，２ｂを備える。また、上下のフレームメンバ２ｕ，２ｄの裏面側には、図２に示すような傾斜面を有するガイドレール部２ｕｇ，２ｄｇをそれぞれ一体形成する。即ち、上側のフレームメンバ２ｕの下端辺に、後面が後上がりの傾斜面となるガイドレール部２ｕｇを切欠状に形成するとともに、下側のフレームメンバ２ｄの上端辺に、後面が後下がりの傾斜面となるガイドレール部２ｄｇを切欠状に形成する。
【００１８】
表示部３は、右表示部半体３ａｐと左表示部半体３ｂｐを備える。この場合、右表示部半体３ａｐと左表示部半体３ｂｐは、それぞれ一定の厚さを有するプラスチック素材を用いたプレート材により一体形成するとともに、それぞれ同一の大きさとなる矩形形状に形成する。なお、右表示部半体３ａｐと左表示部半体３ｂｐの配色はそれぞれ異ならせることが望ましい。そして、図１（図２）に示すように、右表示部半体３ａｐは、フレーム部２の裏面における右側半部の位置に貼付可能にするとともに、左表示部半体３ｂｐは、フレーム部２の裏面における左側半部の位置に貼付可能にする。このため、右表示部半体３ａｐと左表示部半体３ｂｐを組合わせた表示部３の全体の外郭形状は、フレーム部２の外郭形状に一致するように、その寸法を選定することが望ましい。
【００１９】
これにより、フレーム部２の枠内となる開口部に露出する、右表示部半体３ａｐの表面が一方の表示面３ａとなり、左表示部半体３ｂｐの表面が他方の表示面３ｂとなる。そして、右表示部半体３ａｐの表示面３ａには、図６（ａ）に一例として示す「Ａｖａｉｌａｂｌｅ」（又は「空室」等）の文字を表示するとともに、左表示部半体３ｂｐの表示面３ｂには、図６（ｂ）に一例として示す「Ｏｃｃｕｐｉｅｄ」（又は「使用中」等）の文字を表示する。
【００２０】
遮蔽カバー部４は、一定の厚さを有するプラスチック素材を用いたプレート材により一体形成し、厚さは、フレーム部２の厚さに一致させることが望ましい。また、遮蔽カバー部４は、図４（図６）に示すように、フレーム部２の枠内となる開口部の形状に対して左右方向に二分割した大きさに形成したカバー本体部４ｍを有するとともに、図２及び図３に示すように、当該カバー本体部４ｍの上端辺から上方へ一体形成した係合縁部４ｕｓ及びカバー本体部４ｍの下端辺から下方へ一体形成した係合縁部４ｄｓを有する。この場合、上側の係合縁部４ｕｓの前面は、後上がりの傾斜面に形成するとともに、下側の係合縁部４ｄｓの前面は、後下がりの傾斜面に形成する。各傾斜面は、前述したガイドレール部２ｕｇ及び２ｄｇの傾斜面に面接触可能、即ち、係合縁部４ｕｓの傾斜面は、ガイドレール部２ｕｇの傾斜面に、また、係合縁部４ｄｓの傾斜面は、ガイドレール部２ｄｇの傾斜面に、それぞれ面接触可能に形成する。
【００２１】
さらに、遮蔽カバー部４の表面４ｆには、本考案に従って、操作者の指を当接した際に当該指との滑りを防止する突起部５を設ける。この突起部５は、図２に示すように、径Ｌｄが３〔ｍｍ〕以下となる半球形状に形成するとともに、設ける位置は、図６に示すように、遮蔽カバー部４の表面４ｆにおける中央位置Ｐｃ（又はその近傍位置）を選定し、遮蔽カバー部４の表面４ｆに一体形成する。このように、突起部５を設けるに際し、径Ｌｄが３〔ｍｍ〕以下となる半球形状に形成し、遮蔽カバー部４の表面４ｆにおける中央位置Ｐｃ又はその近傍位置に設ければ、目立つことなく、指に対する良好な引掛かり感を得る観点から、本考案における最も望ましい形態として実施できる利点がある。
【００２２】
本実施形態に係る表示プレート１は、このような構造を有するため、製作するに際しては、まず、フレーム部２，右表示部半体３ａ，左表示部半体３ｂ及び遮蔽カバー部４を、プラスチック素材により一体成形又は切断加工等により製作し、予め、組付用の部品として用意する。
【００２３】
組付けに際しては、フレーム部２の裏面に遮蔽カバー部４を重ね合わせ、図２に示すように、遮蔽カバー部４の一方の係合縁部４ｕｓをフレーム部２の上側のガイドレール部２ｕｇに係合させるとともに、遮蔽カバー部４の他方の係合縁部４ｄｓをフレーム部２の下側のガイドレール部２ｄｇに係合させる。
【００２４】
そして、この状態において、フレーム部２の裏面における、右側に右表示部半体３ａを、また、左側に左表示部半体３ｂを、それぞれ接着剤等により貼付ければよい。これにより、図４に示す表示プレート１を得ることができる。このように、本実施形態に係る表示プレート１は極めて容易に製作することができる。
【００２５】
次に、本実施形態に係る表示プレート１の使用方法及び作用について、図５及び図６を参照して説明する。
【００２６】
まず、表示プレート１の使用方法について説明する。表示プレート１を使用するに際しては、図５に示すように、部屋Ｒに付設した開閉式のドアＤの表側の外面に、表示プレート１の裏面を、両面テープ又は接着剤等の固定手段により取付ける。なお、例示は、ドアＤに取付けた態様を示したが、ドアＤの近傍に位置する壁面Ｗ…に取付けてももちろんよい。なお、図５中、Ｄｎはドアノブを示す。
【００２７】
次に、表示プレート１の作用（機能）について説明する。今、図６（ａ）に示すように、遮蔽カバー部４が、左側となる一方Ｘａ側にスライドさせた状態にある場合を想定する。この状態では、遮蔽カバー部４により、左表示部半体３ｂの表示面３ｂが遮蔽されるとともに、右表示部半体３ａの表示面３ａが開放されるため、表示面３ａにおける「Ａｖａｉｌａｂｌｅ」の文字が表示される。したがって、部屋Ｒが「空室」であることが表示される。
【００２８】
一方、「使用中」であることを意味する「Ｏｃｃｕｐｉｅｄ」の表示に切換える場合には、操作者は、自身の指を、遮蔽カバー部４の表面における突起部５の位置に当接し、矢印Ｆｃで示す右方向へスライド移動させることにより、図６（ｂ）に示す右側となる他方Ｘｂ側に位置させればよい。この場合、遮蔽カバー部４をスライド移動させる際には、操作者の指が突起部５に引掛かり、遮蔽カバー部４の表面４ｆと指の間の滑りが防止される。この結果、円滑かつ迅速な表示切換を行うことができる。そして、この状態においては、遮蔽カバー部４により、右表示部半体３ａの表示面３ａが遮蔽されるとともに、左表示部半体３ｂの表示面３ｂが開放されるため、表示面３ｂにおける「Ｏｃｃｕｐｉｅｄ」の文字が表示される。
【００２９】
このように、本実施形態に係る表示プレート１は、基本構成として、遮蔽カバー部４の表面４ｆに、操作者の指を当接した際に当該指との滑りを防止する突起部５を設けたため、表示プレート１における十分なシンプル感、即ち、デザイを確保しつつ、操作者が指で操作する際の滑りを防止し、十分な操作性を確保することができる。また、遮蔽カバー部４の表面４ｆに設ける突起部５は、プラスチック素材を用いた場合には容易に一体成形できるため、操作性を確保する別途の取手等の付設が不要となり、容易かつ低コストに実施することができる。
【００３０】
以上、好適実施形態について詳細に説明したが、本考案は、このような実施形態に限定されるものではなく、細部の構成，形状，素材，数量等において、本考案の要旨を逸脱しない範囲で、任意に変更，追加，削除することができる。例えば、突起部５を設けるに際し、径Ｌｄが３〔ｍｍ〕以下となる半球形状に形成した場合を示したが、形状は、半球形状に限定されることなく、各種形状を選定可能である。また、突起部５の数も一つの態様を示したが、二以上設ける場合を排除するものではない。さらに、突起部５は、遮蔽カバー部４の表面４ｆにおける中央位置Ｐｃに設けた場合を示したが、必要により中央位置Ｐｃの近傍の位置に設けてもよい。加えて、突起部５は、遮蔽カバー部４の表面４ｆに、遮蔽カバー部４と一体成形した場合を示したが、遮蔽カバー部４を平坦なプレート材により形成し、このプレート材の表面に小孔を形成することにより、別体に形成した突起部５を差し込んで構成してもよい。一方、形成素材として、プラスチック素材を例示したが、金属素材や木質素材等であってもよく、素材の種類は問わない。
【産業上の利用可能性】
【００３１】
本考案に係る表示プレートは、部屋のドア等に取付けることにより「空室」又は「使用中」など、異なる二つの表示部を切換表示する各種用途に利用できる。
【符号の説明】
【００３２】
１：表示プレート，２：フレーム部，３：表示部，３ａ：表示面，３ｂ：表示面，４：遮蔽カバー部，４ｆ：遮蔽カバー部の表面，５：突起部，Ｘａ：一方（右側），Ｘｂ：他方（左側），Ｌｄ：突起部の径，Ｐｃ：遮蔽カバー部の表面における中央位置
【図１】
0003211457.tif 000003
【図２】
0003211457.tif 000004
【図３】
0003211457.tif 000005
【図４】
0003211457.tif 000006
【図５】
0003211457.tif 000007
【図６】
0003211457.tif 000008